【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
２次元の行列状に配置された複数の画素が、予め定めた複数行毎に組となった複数のグループに分けられている画素部を有する第１の基板と、
前記グループ内で同じ列に配置された複数の前記画素が接続される垂直信号線に対応する画素負荷電流源と、対応する該垂直信号線に前記画素から出力された画素信号に対して予め定めた処理を行う列回路と、対応する前記列回路が接続された前記垂直信号線に、該対応する前記列回路を補正するための補正用画素信号を出力する補正用画素とを、該グループに属する前記画素の列毎に具備し、それぞれの前記列回路が処理した画素信号を、画像信号として前記画素の行毎に出力する信号処理回路を、前記グループのそれぞれに対応して複数有する第２の基板と、
を備え、
前記第１の基板と前記第２の基板とが積層され、
それぞれの前記グループ内のそれぞれの前記垂直信号線と、該グループに対応する前記信号処理回路内で該垂直信号線に対応する前記画素負荷電流源および前記列回路とのそれぞれが、該垂直信号線に対応するそれぞれの基板間接続部を介して電気的に接続される、
ことを特徴とする固体撮像装置。
【請求項２】
前記第２の基板は、さらに、
当該固体撮像装置から前記画像信号を出力する際の動作に応じて、前記信号処理回路内の構成要素の電源を制御する電源制御部、
を備えることを特徴とする請求項１に記載の固体撮像装置。
【請求項３】
前記電源制御部は、
それぞれの前記グループ内の前記画素を同時に駆動して、それぞれの前記グループに対応する前記信号処理回路から並列に、該駆動した前記画素から出力された前記画素信号に応じた前記画像信号を当該固体撮像装置から出力する際に、前記信号処理回路内の全ての構成要素の電源をＯＮ状態にし、
前記画素のそれぞれを順次駆動して、該駆動した前記画素に対応する前記信号処理回路から、該駆動した前記画素から出力された前記画素信号に応じた前記画像信号を当該固体撮像装置から順次出力する際に、該画像信号の出力のために動作する前記信号処理回路内の構成要素の電源をＯＮ状態にし、該画像信号の出力のために動作しない前記信号処理回路内の構成要素の電源をＯＦＦ状態にする、
ことを特徴とする請求項２に記載の固体撮像装置。
【請求項４】
当該固体撮像装置から前記画像信号を出力する前に、それぞれの前記信号処理回路に備えた前記列回路のそれぞれを、対応する前記補正用画素が出力した前記補正用画素信号を用いて補正する、
ことを特徴とする請求項３に記載の固体撮像装置。
【請求項５】
前記電源制御部は、
それぞれの前記信号処理回路に備えた出力部を含めて、前記信号処理回路内の構成要素の電源のＯＮ状態とＯＦＦ状態とを制御する、
ことを特徴とする請求項２から請求項４のいずれか１の項に記載の固体撮像装置。
【請求項６】
２次元の行列状に配置された複数の画素が、予め定めた複数行毎に組となった複数のグループに分けられている画素部を有する第１の基板と、
前記グループ内で同じ列に配置された複数の前記画素が接続される垂直信号線に対応する画素負荷電流源と、対応する該垂直信号線に前記画素から出力された画素信号に対して予め定めた処理を行う列回路と、対応する前記列回路が接続された前記垂直信号線に、該対応する前記列回路を補正するための補正用画素信号を出力する補正用画素とを、該グループに属する前記画素の列毎に具備し、それぞれの前記列回路が処理した画素信号を、画像信号として前記画素の行毎に出力する信号処理回路を、前記グループのそれぞれに対応して複数有する第２の基板と、
を備え、
前記第１の基板と前記第２の基板とが積層され、
それぞれの前記グループ内のそれぞれの前記垂直信号線と、該グループに対応する前記信号処理回路内で該垂直信号線に対応する前記画素負荷電流源および前記列回路とのそれぞれが、該垂直信号線に対応するそれぞれの基板間接続部を介して電気的に接続される固体撮像装置、
を備えることを特徴とする撮像装置。
【請求項７】
前記固体撮像装置に入射する光の量を制御するメカニカルシャッタ、
をさらに備え、
それぞれの前記グループ内の前記画素を同時に駆動して、それぞれの前記グループに対応する前記信号処理回路から並列に、該駆動した前記画素から出力された前記画素信号に応じた前記画像信号を前記固体撮像装置から出力させる際に、前記メカニカルシャッタによって、該固体撮像装置に入射する光を遮光する、
ことを特徴とする請求項６に記載の撮像装置。
【手続補正２】
【補正対象書類名】明細書
【補正対象項目名】００１６
【補正方法】変更
【補正の内容】
【００１６】
上記の課題を解決するため、本発明の固体撮像装置は、２次元の行列状に配置された複数の画素が、予め定めた複数行毎に組となった複数のグループに分けられている画素部を有する第１の基板と、前記グループ内で同じ列に配置された複数の前記画素が接続される垂直信号線に対応する画素負荷電流源と、対応する該垂直信号線に前記画素から出力された画素信号に対して予め定めた処理を行う列回路と、対応する前記列回路が接続された前記垂直信号線に、該対応する前記列回路を補正するための補正用画素信号を出力する補正用画素とを、該グループに属する前記画素の列毎に具備し、それぞれの前記列回路が処理した画素信号を、画像信号として前記画素の行毎に出力する信号処理回路を、前記グループのそれぞれに対応して複数有する第２の基板と、を備え、前記第１の基板と前記第２の基板とが積層され、それぞれの前記グループ内のそれぞれの前記垂直信号線と、該グループに対応する前記信号処理回路内で該垂直信号線に対応する前記画素負荷電流源および前記列回路とのそれぞれが、該垂直信号線に対応するそれぞれの基板間接続部を介して電気的に接続される、ことを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００２２
【補正方法】変更
【補正の内容】
【００２２】
また、本発明の撮像装置は、２次元の行列状に配置された複数の画素が、予め定めた複数行毎に組となった複数のグループに分けられている画素部を有する第１の基板と、前記グループ内で同じ列に配置された複数の前記画素が接続される垂直信号線に対応する画素負荷電流源と、対応する該垂直信号線に前記画素から出力された画素信号に対して予め定めた処理を行う列回路と、対応する前記列回路が接続された前記垂直信号線に、該対応する前記列回路を補正するための補正用画素信号を出力する補正用画素とを、該グループに属する前記画素の列毎に具備し、それぞれの前記列回路が処理した画素信号を、画像信号として前記画素の行毎に出力する信号処理回路を、前記グループのそれぞれに対応して複数有する第２の基板と、を備え、前記第１の基板と前記第２の基板とが積層され、それぞれの前記グループ内のそれぞれの前記垂直信号線と、該グループに対応する前記信号処理回路内で該垂直信号線に対応する前記画素負荷電流源および前記列回路とのそれぞれが、該垂直信号線に対応するそれぞれの基板間接続部を介して電気的に接続される固体撮像装置、を備えることを特徴とする。
【手続補正５】
【補正対象書類名】明細書
【補正対象項目名】００４１
【補正方法】変更
【補正の内容】
【００４１】
なお、第１の基板１０内の構成要素と第２の基板２０内の構成要素とが接続される位置、すなわち、基板間接続部３０が形成される位置に応じた複数の構造の基板間接続部３０を用いてもよい。例えば、図２（ａ）に示した構成では、第１の基板１０に形成された画素アレイ部１１内の構成要素と、第２の基板２０に形成された信号処理回路部２１内の構成要素とを電気的に接続する基板間接続部３０としてマイクロバンプを用い、画素アレイ部１１以外の構成要素と信号処理回路部２１以外の構成要素とを電気的に接続する基板間接続部３０としてシリコン貫通電極を用いる構成にすることもできる。
【手続補正６】
【補正対象書類名】明細書
【補正対象項目名】０１８５
【補正方法】変更
【補正の内容】
【０１８５】
より具体的には、固体撮像装置３００が第１のグループの画像信号を出力する期間では、図１１（ｂ）に示したように、電源制御部２８は、グループ用信号処理回路２２１に備えた画素負荷電流源２４１、列回路２５１、および出力部２７１と、グループ用信号処理回路２２１とグループ用信号処理回路２２２とで共有される水平読み出し回路２６１２との電源のみをＯＮの状態に制御する。また、固体撮像装置３００が第２のグループの画像信号を出力する期間では、図１１（ｂ）に示したように、電源制御部２８は、グループ用信号処理回路２２２に備えた画素負荷電流源２４２、列回路２５２、および出力部２７２と、グループ用信号処理回路２２１とグループ用信号処理回路２２２とで共有される水平読み出し回路２６１２との電源のみをＯＮの状態に制御する。また、固体撮像装置３００が第３のグループの画像信号を出力する期間では、図１１（ｂ）に示したように、電源制御部２８は、グループ用信号処理回路２２３に備えた画素負荷電流源２４３、列回路２５３、および出力部２７３と、グループ用信号処理回路２２３とグループ用信号処理回路２２４とで共有される水平読み出し回路２６３４との電源のみをＯＮの状態に制御する。また、固体撮像装置３００が第４のグループの画像信号を出力する期間では、図１１（ｂ）に示したように、電源制御部２８は、グループ用信号処理回路２２４に備えた画素負荷電流源２４４、列回路２５４、および出力部２７４と、グループ用信号処理回路２２３とグループ用信号処理回路２２４とで共有される水平読み出し回路２６３４との電源のみをＯＮの状態に制御する。